(57)【特許請求の範囲】
【請求項１】
ハウスに設置したタンクと、動力噴霧機、及び噴霧装置とを配管を介して接続し、この動力噴霧機と前記噴霧装置とを連繋する配管中に、切換えバルブを配し、
前記噴霧装置と、この切換えバルブとを給排液水用の第一配管で接続し、
この第一配管の開放側に逆止弁を設け、また、前記切換えバルブと、動力噴霧機とを給排液水用の第二・第三配管で接続し、
この切換えバルブと、タンクとを給排液水用の第四・第五配管で接続し、
前記動力噴霧機と、タンクとをオーバフロー用の第六配管で接続し、
前記第一配管と、前記噴霧装置の管路中の排液水を、切換えバルブ、及び前記第三配管を経由し、動力噴霧機から、第六配管を介して、タンクにリターン可能とする構成としたハウスの排液、排水等の回収システム。
【請求項２】
ハウスに設置したタンクと、動力噴霧機、及び噴霧装置とを配管を介して接続し、この動力噴霧機と前記噴霧装置とを連繋する配管中に、切換えバルブを配し、
前記噴霧装置と、この切換えバルブとを給排液水用の第一配管で接続し、
この第一配管の開放側に逆止弁を設け、また、前記切換えバルブと、動力噴霧機とを給排液水用の第二・第三配管で接続し、
この切換えバルブと、タンクとを給排液水用の第四・第五配管で接続し、
前記動力噴霧機と、タンクとをオーバフロー用の第六配管で接続し、
前記第一配管と、前記噴霧装置の管路中の排液水を、切換えバルブ、及び前記第三配管を経由し、動力噴霧機から、第六配管を介して、タンクにリターン可能とする構成としたハウスの排液、排水等の回収システムにおいて、
前記切換えバルブは、略Ｕ字形の管路を備えた本体と、この本体の一面管路に設けた前記動力噴霧機に連繋する一本、又は数本の配管の差込み口と、前記タンクに連繋する一本、又は数本の配管の差込み口を、それぞれ設け、また、前記本体の他面管路に設けた前記多数の噴霧装置に連繋する一本、又は数本の配管の差込み口を、それぞれ設けた構成としたハウスの排液、排水等の回収システムの切換えバルブの構造。
【請求項３】
請求項２に記載のハウスの排液、排水等の回収システムの切換えバルブの構造であって、
前記切換えバルブには、複数本の差込み口に設けた開閉弁、又はこの切換えバルブの本体に設けた開閉弁と、この各開閉弁を支持する差込み口、又は本体に垂設した弁軸と、この各弁軸を同時に操作するハンドルを取付け、このハンドルを連繋する前記本体の軸芯方向に添って移動するリンクを取付け、かつこのリンクを、切替えレバーに取付ける構成としたハウスの排液、排水等の回収システムの切換えバルブの構造。
【請求項４】
請求項３に記載のハウスの排液、排水等の回収システムの切換えバルブの構造であって、
前記切換えバルブ、及びリンクをケース内に収容し、このケースに長孔を開設し、この長孔に挿入した前記切替えレバーを、前記リンクに取付ける構成としたハウスの排液、排水等の回収システムの切換えバルブの構造。
【発明の詳細な説明】
【技術分野】
【０００１】
本発明は、ハウス（ビニールハウス、ガラスハウス等の建屋）の排液、排水（残液、残水）等の回収システムと、このシステムに使用する切換えバルブの構造に関する。
【背景技術】
【０００２】
従来、ハウスにおいて、作物に向かって、薬剤、又は水を、散布機とか、その他の機器のノズルから散布する。そして、散布を終了した時点で、散布機、又は配管（ホース）に残留する薬液（排液）、又は残留する水（排水）を、回収する必要がある。
【０００３】
その理由は、例えば、排液の場合には、残留薬液の固化と、この固化に基づく配管、バルブ等の詰りの問題、又は残留排水で、殊に井戸水の場合では、藻の胞子が残留し、藻の発生と、配管等の損傷とか、藻の発生に基づく配管、バルブ等の詰りの問題、さらには、寒冷地では、この残留排液、残留排水による凍結問題、等があることから、これまでは（現状では）、各個人のレベルによる、個々の対策が採られている。例えば、動力噴霧機を逆回転し、排液、又は排水を、この動力噴霧機に戻した後、タンクにリターンする方法である。
【０００４】
しかし、この現状の各個人のレベルによる、個々の対策では、十分でなく、また効果も有効でないことが判明していること、また、この各個人のレベルによる、個々の対策は、各配管について、それぞれ排液、排水回収処理（排液と排水回収処理）を行なう構造であるので、作業が面倒であり、また手間を要すること、等の問題も指摘されている。従って、簡易で、かつ効率的に排液水処理を行なう構造と手段（排液、排水等の回収システム）と、この排液、排水等の回収システムに適する切換えバルブの構造が要望されている。
【０００５】
そして、この要望が叶えられる最適な情報を、先行文献から検討し、その一例を、以下、複数の文献として挙げる。
【０００６】
文献（１）は、特開２０００−２５４４１６の「ストレーナ洗浄装置及び液体散布装置」の発明であり、タンクに設けたストレーナに接続した吸液管を三連往復ポンプの吸込側に接続し、また、ハウス、畜舎内に設けたノズルに接続された吐出管を三連往復ポンプの吐出側に接続し、この吐出管には蓄熱手段とエアチャンバーを設けて蓄圧と、空気の導入とを図る構造とし、そして、吸液管の流体を、三連往復ポンプと、蓄圧及び空気の導入とを介して、吐出管からノズルに送り、このノズルより流体を噴霧する構造である。尚、残留流体は、吐出管より吸液管を経由し、ストレーナからタンクにリターンするとともに、蓄圧解除と、空気の導入とを停止し、ノズルからの流体のボタ回避を図ることを特徴とする。しかしながら、この発明は、蓄熱手段とエアチャンバーを設けて蓄圧・蓄圧解除と、空気の導入・導入停止と、この三連往復ポンプの動作とを介して、噴霧、又は排液回収とボタ落ち回避を図る構造であり、多数の構成部材で成り立つことから、構造の複雑化と、それぞれ操作する必要性があり、操作の複雑性の問題を抱えている。また、蓄熱手段とエアチャンバーと、三連往復ポンプ、並びにモータ等の構成部材が、一体に組付け形成された構造でなく、小型化、操作の容易化、又は低コスト化等に課題を残すものと考えられる。
【０００７】
また、文献（２）は、特開平９−２４３１４号の「薬液散布装置及び薬液散布車」の発明であり、薬液源に繋がる薬液圧送ポンプで吸入した薬液を、電動式三方コックを備えた薬液供給通路を介してノズルへ導き、ノズルより噴射する薬液散布装置であって、薬液圧送ポンプから圧送される薬液を駆動流体として作動する噴流ポンプを設け、ノズルからの薬液の噴射停止時に、薬液供給通路に残存する薬液を噴流ポンプにより吸入して薬液源へ送る構造である。尚、残留薬液は、噴流ポンプより薬液供給通路を経由し、ストレーナから薬液源にリターンするし、ノズルからの流体のボタ回避を図ることを特徴とする。しかしながら、この発明は、噴流ポンプと薬液供給通路を介して、噴霧、又は排液回収とボタ落ち回避を図る構造であり、噴流ポンプに掛かる負荷が大きく、ハウスの如く、大きな場所への設置には、不向きであると考えられる。また、噴流ポンプに掛かる負荷が大きく、残留薬液の効率的な解消には、少なからず、問題を抱えているものと考えられる。
【０００８】
そして、文献（３）は、実開昭６１−１４４２３２号の「内燃機関の吸気制御装置」の考案であり、独立吸気用スロットルバルブにおいて、バルブシャフトを縦設し、スロットルバルブの中央にアクセルレバーを配置し、各気管のスロットルバルブのスロットルレバーを、アクセルレバーにスロットルリンクを介して連繋した構造である。しかしながら、この考案は、アクセルレバーの操作で、多数のスロットルレバーを介して、スロットルリンクと、同じ開閉方向のスロットルバルブの開閉作動する構造に留まっており、一本のハンドルから数本のリンクを動作し、この各リンクに、それぞれ設けた各弁棒と、開閉方向が異なる各弁の開閉を、ワンタッチで行なう構造でない。
【０００９】
尚、文献（４）は、実開昭６２−１１６１３８号の「多気筒エンジンの気化器取付け装置」の考案であり、多気筒エンジンの各気筒の吸気孔に各々気化器を連結し、気化器を中央部分に集める構造であって、各気筒の吸気孔を入口を内側に向けて傾け、各気化器のスロットル操作杆が横一直線に並ぶように形成し、一つの操作ロッドの複数のレバーを各スロットル操作杆に連結し、一つの操作ロッドで操作できるようにした構造である。しかしながら、この考案も、文献（３）と同じ構造に留まっており、一本のハンドルから数本のリンクを動作し、この各リンクに、それぞれ設けた各弁棒と、開閉方向が異なる各弁の開閉を、ワンタッチで行なう構造でない。
【００１０】
【特許文献１】特開２０００−２５４４１６
【特許文献２】特開平９−２４３１４号
【特許文献３】実開昭６１−１４４２３２号
【特許文献４】実開昭６２−１１６１３８号
【発明の概要】
【発明が解決しようとする課題】
【００１１】
前記文献（１）は、前述の如く、多数の構成部材で成り立つことから、構造の複雑化と、それぞれ操作する必要性があり、操作の複雑性の問題を抱えている。また、一体に組付け形成された構造でなく、小型化、操作の容易化、又は低コスト化等に課題を残すものと考えられる。そして、文献（２）は、前述の如く、噴流ポンプに掛かる負荷が大きく、ハウスの如く、大きな場所への設置には、不向きであると考えられる。また、噴流ポンプに掛かる負荷が大きく、残留薬液の効率的な解消には、少なからず、問題を抱えているものと考えられる。
【００１２】
また、前記文献（３）は、アクセルレバーの操作で、多数のスロットルレバーを介して、スロットルリンクと、同じ開閉方向のスロットルバルブの開閉作動する構造に留まっており、一本のハンドルから数本のリンクを動作し、この各リンクに、それぞれ設けた各弁棒と、開閉方向が異なる各弁の開閉を、ワンタッチで行なう構造でない。そして、文献（４）は、文献（３）と同じ構造に留まっており、一本のハンドルから数本のリンクを動作し、この各リンクに、それぞれ設けた各弁棒と、開閉方向が異なる各弁の開閉を、ワンタッチで行なう構造でない。
【００１３】
上記に鑑み、本発明は、排液と排水回収処理を確実に行って、残留薬液をなくし、固化問題の解消と、この固化に基づく配管、バルブ等の詰りを無くすこと、又は残留排水と、藻の胞子をなくし、配管等の損傷とか、藻の発生防止と、配管、バルブ等の詰りの問題の解消と、さらには、寒冷地では、この残留排液、残留排水による凍結問題の解消を図ること、等を意図する。また、本発明は、切換えバルブ、及び動力噴霧機と、配管、並びに噴霧装置とを、一体に組付けできる構造とし、構造の単純化と、コストの低廉化を図り、また、ワンタッチで、かつ簡易な操作を図ること、等を意図する。さらに、切換えバルブの一操作で、動力噴霧機、及び配管、並びに噴霧装置と介して、給液水の供給と、排液水の回収を可能なハウスの排液、排水等の回収システムとすることを意図する。
【課題を解決するための手段】
【００１４】
請求項１の発明は、排液と排水回収処理を確実に行って、残留薬液をなくし、固化問題の解消と、この固化に基づく配管、バルブ等の詰りを無くすこと、又は残留排水と、藻の胞子をなくし、配管等の損傷とか、藻の発生防止と、配管、バルブ等の詰りの問題の解消と、さらには、寒冷地では、この残留排液、残留排水による凍結問題の解消を図ること、等を意図する。また、請求項１の発明は、切換えバルブ、及び動力噴霧機と、配管、並びに噴霧装置とを、一体に組付けできる構造とし、構造の単純化と、コストの低廉化を図り、また、ワンタッチで、かつ簡易な操作を図ること、等を意図する。さらに、請求項１の発明は、切換えバルブの一操作で、動力噴霧機、及び配管、並びに噴霧装置と介して、給液水の供給と、排液水の回収を可能なハウスの排液、排水等の回収システムとすることを意図する。
【００１６】
請求項１は、ハウスに設置したタンクと、動力噴霧機、及び噴霧装置とを配管を介して接続し、この動力噴霧機と前記噴霧装置とを連繋する配管中に、切換えバルブを配し、
前記噴霧装置と、この切換えバルブとを給排液水用の第一配管で接続し、
この第一配管の開放側に逆止弁を設け、また、前記切換えバルブと、動力噴霧機とを給排液水用の第二・第三配管で接続し、
この切換えバルブと、タンクとを給排液水用の第四・第五配管で接続し、
前記動力噴霧機と、タンクとをオーバフロー用の第六配管で接続し、
前記第一配管と、前記噴霧装置の管路中の排液水を、切換えバルブ、及び前記第三配管を経由し、動力噴霧機から、第六配管を介して、タンクにリターン可能とする構成としたハウスの排液、排水等の回収システムである。
【００１７】
請求項２の発明は、ハウスの排液、排水等の回収システムにおいて、構造と操作の簡単な切換えバルブの構造を提供し、排液と排水回収処理を確実に行って、残留薬液をなくし、固化問題の解消と、この固化に基づく配管、バルブ等の詰りを無くすこと、又は残留排水と、藻の胞子をなくし、配管等の損傷とか、藻の発生防止と、配管、バルブ等の詰りの問題の解消と、さらには、寒冷地では、この残留排液、残留排水による凍結問題の解消を図ること、等を意図する。また、請求項２の発明は、動力噴霧機と、配管、及び噴霧装置等でなるハウスの排液、排水等の回収システムに、一体に組付けできる構造簡単な切換えバルブの構造を提供することで、コストの低廉化を図り、また、ワンタッチで、かつ簡易な操作を図ること、等を意図する。さらに、請求項２の発明は、切換えバルブの一操作で、動力噴霧機、及び配管、並びに噴霧装置と介して、給液水の供給と、排液水の回収を可能さすること、等を意図する。そして、また、請求項２の発明は、切換えバルブの形状（Ｕ字形）を提供し、この切換えバルブの小型化と、後述するハンドルとの組合せと、ワンタッチ操作を図ることを意図する。
【００１８】
請求項２は、ハウスに設置したタンクと、動力噴霧機、及び噴霧装置とを配管を介して接続し、この動力噴霧機と前記噴霧装置とを連繋する配管中に、切換えバルブを配し、
前記噴霧装置と、この切換えバルブとを給排液水用の第一配管で接続し、
この第一配管の開放側に逆止弁を設け、また、前記切換えバルブと、動力噴霧機とを給排液水用の第二・第三配管で接続し、
この切換えバルブと、タンクとを給排液水用の第四・第五配管で接続し、
前記動力噴霧機と、タンクとをオーバフロー用の第六配管で接続し、
前記第一配管と、前記噴霧装置の管路中の排液水を、切換えバルブ、及び前記第三配管を経由し、動力噴霧機から、第六配管を介して、タンクにリターン可能とする構成としたハウスの排液、排水等の回収システムにおいて、
前記切換えバルブは、略Ｕ字形の管路を備えた本体と、この本体の一面管路に設けた前記動力噴霧機に連繋する一本、又は数本の配管の差込み口と、前記タンクに連繋する一本、又は数本の配管の差込み口を、それぞれ設け、また、前記本体の他面管路に設けた前記多数の噴霧装置に連繋する一本、又は数本の配管の差込み口を、それぞれ設けた構成としたハウスの排液、排水等の回収システムの切換えバルブの構造である。
【００１９】
請求項３の発明は、請求項２の目的を達成することと、この目的を達成するのに、最適な切換えバルブの形状と、ハンドルとの組合せの相乗効果と、そのワンタッチ操作等を図ることを意図する。
【００２０】
請求項３は、請求項２に記載のハウスの排液、排水等の回収システムの切換えバルブの構造であって、
前記切換えバルブには、複数本の差込み口に設けた開閉弁、又はこの切換えバルブの本体に設けた開閉弁と、この各開閉弁を支持する差込み口、又は本体に垂設した弁軸と、この各弁軸を同時に操作するハンドルを取付け、このハンドルを連繋する前記本体の軸芯方向に添って移動するリンクを取付け、かつこのリンクを、切替えレバーに取付ける構成としたハウスの排液、排水等の回収システムの切換えバルブの構造である。
【００２１】
請求項４の発明は、請求項３の目的を達成することと、この目的を達成するのに、最適な切換えバルブの形状と、切替えレバーとの組合せの相乗効果と、そのワンタッチ操作を確実に実行し、かつスムーズな操作等を図ることを意図する。
【００２２】
請求項４は、請求項３に記載のハウスの排液、排水等の回収システムの切換えバルブの構造であって、
前記切換えバルブ、及びリンクをケース内に収容し、このケースに長孔を開設し、この長孔に挿入した前記切替えレバーを、前記リンクに取付ける構成としたハウスの排液、排水等の回収システムの切換えバルブの構造である。
【発明の効果】
【００２４】
請求項１の発明は、ハウスに設置したタンクと、動力噴霧機、及び噴霧装置とを配管を介して接続し、動力噴霧機と前記噴霧装置とを連繋する配管中に、切換えバルブを配し、
噴霧装置と、切換えバルブとを給排液水用の第一配管で接続し、
第一配管の開放側に逆止弁を設け、また、切換えバルブと、動力噴霧機とを給排液水用の第二・第三配管で接続し、
切換えバルブと、タンクとを給排液水用の第四・第五配管で接続し、
動力噴霧機と、タンクとをオーバフロー用の第六配管で接続し、
第一配管と、噴霧装置の管路中の排液水を、切換えバルブ、及び第三配管を経由し、動力噴霧機から、第六配管を介して、タンクにリターン可能とする構成としたハウスの排液、排水等の回収システムである。
【００２５】
従って、請求項１は、排液と排水回収処理を確実に行って、残留薬液をなくし、固化問題の解消と、この固化に基づく配管、バルブ等の詰りを無くすこと、又は残留排水と、藻の胞子をなくし、配管等の損傷とか、藻の発生防止と、配管、バルブ等の詰りの問題の解消と、さらには、寒冷地では、この残留排液、残留排水による凍結問題の解消が図れること、等の特徴がある。また、請求項１は、切換えバルブ、及び動力噴霧機と、配管、並びに噴霧装置とを、一体に組付けできる構造とし、構造の単純化と、コストの低廉化を図り、また、ワンタッチで、かつ簡易な操作が図れること、等の実効性がある。を図ること、等を意図する。さらに、請求項１は、切換えバルブの一操作で、動力噴霧機、及び配管、並びに噴霧装置と介して、給液水の供給と、排液水の回収を可能なハウスの排液、排水等の回収システムを提供できる実益がある。
【００２６】
請求項２の発明は、ハウスに設置したタンクと、動力噴霧機、及び噴霧装置とを配管を介して接続し、動力噴霧機と前記噴霧装置とを連繋する配管中に、切換えバルブを配し、
噴霧装置と、切換えバルブとを給排液水用の第一配管で接続し、
第一配管の開放側に逆止弁を設け、また、切換えバルブと、動力噴霧機とを給排液水用の第二・第三配管で接続し、
切換えバルブと、タンクとを給排液水用の第四・第五配管で接続し、
動力噴霧機と、タンクとをオーバフロー用の第六配管で接続し、
第一配管と、噴霧装置の管路中の排液水を、切換えバルブ、及び第三配管を経由し、動力噴霧機から、第六配管を介して、タンクにリターン可能とする構成としたハウスの排液、排水等の回収システムにおいて、
切換えバルブは、略Ｕ字形の管路を備えた本体と、本体の一面管路に設けた動力噴霧機に連繋する一本、又は数本の配管の差込み口と、タンクに連繋する一本、又は数本の配管の差込み口を、それぞれ設け、また、本体の他面管路に設けた多数の噴霧装置に連繋する一本、又は数本の配管の差込み口を、それぞれ設けた構成としたハウスの排液、排水等の回収システムの切換えバルブの構造である。
【００２７】
従って、請求項２は、ハウスの排液、排水等の回収システムにおいて、構造と操作の簡単な切換えバルブの構造を提供し、排液と排水回収処理を確実に行って、残留薬液をなくし、固化問題の解消と、この固化に基づく配管、バルブ等の詰りを無く得ること、又は残留排水と、藻の胞子をなくし、配管等の損傷とか、藻の発生防止と、配管、バルブ等の詰りの問題を解消できること、さらには、寒冷地では、この残留排液、残留排水による凍結問題の解消が図れること、等の特徴がある。また、請求項２は、動力噴霧機と、配管、及び噴霧装置等でなるハウスの排液、排水等の回収システムに、一体に組付けできる構造簡単な切換えバルブの構造を提供することで、コストの低廉化を図り、また、ワンタッチで、かつ簡易な操作が図れること、等の利点がある。さらに、請求項２は、切換えバルブの一操作で、動力噴霧機、及び配管、並びに噴霧装置と介して、給液水の供給と、排液水の回収が可能となること、等の実益がある。そして、また、請求項２は、切換えバルブの形状（Ｕ字形）を提供し、この切換えバルブの小型化と、後述するハンドルとの組合せと、ワンタッチ操作が図れること、等の実益がある。
【００２８】
請求項３の発明は、請求項２に記載のハウスの排液、排水等の回収システムの切換えバルブの構造であって、
切換えバルブには、複数本の差込み口に設けた開閉弁、又は切換えバルブの本体に設けた開閉弁と、各開閉弁を支持する差込み口、又は本体に垂設した弁軸と、各弁軸を同時に操作するハンドルを取付け、ハンドルを連繋する本体の軸芯方向に添って移動するリンクを取付け、かつリンクを、切替えレバーに取付ける構成としたハウスの排液、排水等の回収システムの切換えバルブの構造である。
【００２９】
従って、請求項３は、請求項２の目的を達成することと、この目的を達成するのに、最適な切換えバルブの形状と、ハンドルとの組合せの相乗効果と、そのワンタッチ操作等が図れること、等の特徴がある。
【００３０】
請求項４の発明は、請求項３に記載のハウスの排液、排水等の回収システムの切換えバルブの構造であって、
切換えバルブ、及びリンクをケース内に収容し、ケースに長孔を開設し、長孔に挿入した前記切替えレバーを、リンクに取付ける構成としたハウスの排液、排水等の回収システムの切換えバルブの構造である。
【００３１】
従って、請求項４は、請求項３の目的を達成することと、この目的を達成するのに、最適な切換えバルブの形状と、切替えレバーとの組合せの相乗効果と、そのワンタッチ操作を確実に実行し、かつスムーズな操作等が図れること、等の特徴がある。
【図面の簡単な説明】
【００３２】
【図１】ハウスの排液、排水等の回収システムの全体の模式図
【図２】ハウスの排液、排水等の回収システムの通常噴霧運転時（第一のルート）の模式図
【図３】ハウスの排液、排水等の回収システムの排液、又は排水の回収運転時（第二のルート）の模式図
【図４】噴霧装置の一例を示した正面俯瞰図
【図５】噴霧装置の一例を示した側面俯瞰図
【図６】ハウスの排液、排水等の回収システムに採用する切換えバルブの一例を示した平面図
【図７】切換えバルブの本体に数枚のハンドルを（開放時において４５°の角度を確保できるように）取付けた状態の平面図
【図８】図７の状態で、ハンドルにリンクを取付けた状態の一部破線で示した平面図
【図９】切換えバルブの本体に、数枚のハンドルを介して、リンクを（前記図２の状態であり、開放時において４５°の鋭角のハンドル角度を確保できるように）取付けた状態の一部破線で示した平面図
【図１０】切換えバルブの本体に、数枚のハンドルを介して、リンクを（前記図３の状態であり、閉塞時において１３５°の鈍角のハンドル角度を確保できるように）取付けた状態の一部破線で示した平面図
【図１１】前記図２の状態の切替えレバーとリンクとの関係において、ケースに収容する過程を説明した一部破線で示した平面図
【図１２】図１１の状態を正確に示した平面図
【図１３】ハウスの排液、排水等の他の回収システムの全体の模式図
【発明を実施するための形態】
【００３３】
以下、本発明のハウスの排液、排水等の回収システムにおける、好ましい、一実施例を説明すると、１はハウスで、このハウス１の外には、タンク２と、薬液、又は水を圧送する動力噴霧機３を有する。そして、ハウス１内には、複数基の細霧冷房用ファン５（噴霧装置の一例である）が設けられている。この細霧冷房用ファン５は、その本体部５ａを、筒状を呈するベルマウス部を備えたケーシング５００と、このケーシング５００の吸込み側（後方側）に位置する鍔部５００ａに設けた複数本のブラケット５０１と、このブラケット５０１に支持したモータ５０２と、このモータ５０２の出力軸５０２ａに軸承した羽根車５０３と、また、ケーシング５００の吹出し側（前方側）に形成した巻絞り部５００ｂの吹出し方向端部のやや内方に設けた渦巻き形の静翼５０４と、前記ブラケット５０１に支持したガード５０５とで構成する。そして、前記静翼５０４は断面視して吹出し方向に向かってテーパー形状を呈しており、風の吹出しをスムーズにして、到達距離の補助と、翼体５０４ａの強度の確保と、又は樹脂成形の特性を利用することにある。そして、また、細霧冷房用ファン５は、その噴霧部５ｂを、ケーシング５００を囲繞して設けた環状の配管５０６と、この配管５０６に等間隔に設け、かつケーシング５００の吹出し方向端部の前方に位置する複数のノズル５０７と、前記配管５０６に薬液、水を供給する供給管５０８とで構成される。
【００３４】
尚、図中５０５は、細霧冷房用ファン５のガードである。
【００３５】
図中６は、切換えバルブで、この切換えバルブ６は、Ｕ字形を呈する本体６ａの両外側面６ｂ、６ｃ（一面管路、多面管路）に、かつその水平方向Ａにそれぞれ突設した数本の差込み口６００と、この各差込み口６００に開閉自在に設け、かつ本体６ａに開閉自在に設ける開閉弁６０１と、この開閉弁６０１をそれぞれ支持し、かつ差込み口６００に垂設し、かつ本体６ａの開閉弁６０１をそれぞれ支持し、かつ本体６ａに垂設した弁軸６０２と、この各弁軸６０２を同時に操作する本体６ａに回動自在に設けたハンドル６０３と、この各ハンドル６０３を連繋する前記本体６ａの軸芯方向Ｂに添って移動する数本のリンク６０４とで構成する。従って、例えば、このハンドル６０３は、開閉弁６０１の開放時において４５°の角度を確保できるように、図示の如く、軸芯方向Ｂ、又は差込み口６００の軸芯方向Ｂ１に対して４５°の鋭角とする。このハンドル６０３が４５°の鋭角の状態で、リンク６０４を軸芯方向Ｂの最先端位置にセットする。このセットは、前記図２の状態であり、開放時（本体６ａの開閉弁６０１は閉塞である）において４５°の鋭角のハンドル６０３の角度を確保できる。また、例えば、このハンドル６０３は、開閉弁６０１の閉塞時において１３５°の角度を確保できるように、図示の如く、軸芯方向Ｂ、又は差込み口６００の軸芯方向Ｂ１に対して１３５°の鈍角とする。このハンドル６０３が１３５°の鈍角の状態で、リンク６０４を軸芯方向Ｂの最後端位置にセットする。このセットは、前記図３の状態であり、閉塞時（本体６ａの開閉弁６０１は開放である）において１３５°の鈍角のハンドル６０３の角度を確保できる。以上の構造と、動きが、ハウス１の排液、排水等の回収システムにおける切換えバルブ６の構造であり、かつハンドル６０３とリンク６０４の構造である。
【００３６】
また、図１１、１２の如く、切換えバルブ６、及びリンク６０４をケース７内に収容し、このケース７に長孔７ａを開設し、この長孔７ａに挿入した切替えレバー６０８（リンク操作用のレバー）を、リンク６０４に取付けることで、ワンタッチ操作を可能にし、かつスムーズな操作を実現できる。
【００３７】
そして、前記ハウス１に設置した細霧冷房用ファン５と、切換えバルブ６とを給排液水用の第一配管１０と、この第一配管１０より継ぎ手１１を介して分岐した、分岐管１０ａとで接続する。この第一配管１０と分岐管１０ａは、切換えバルブ６と細霧冷房用ファン５との間に薬液水の供給ルートであり、また、排液水の回収ルートとなる。尚、この第一配管１０の開放側１０００に逆止弁１２を設け、回収時において、外気等の空気を吸込み、回収時において、細霧冷房用ファン５の配管５０６と、ノズル５０７、並びに第一配管１０と分岐管１０ａに残留する排液水の確実な回収を図る。また、細霧冷房用ファン５の配管５０６と、ノズル５０７、並びに第一配管１０と分岐管１０ａに対して、薬液水を供給する際には、閉塞する構造である。
【００３８】
また、切換えバルブ６と、動力噴霧機３とを給排液水用の第二・第三配管１３・１５で接続する。そして、この第二配管１３は、その中間にストレーナ１８を介して、動力噴霧機３に接続され、薬液水の供給ルートとなる。従って、タンク２から供給された薬液水を動力噴霧機３と、この第二配管１３を経由して、切換えバルブ６から、さらに、第一配管１０と分岐管１０ａを経由した後、細霧冷房用ファン５の配管５０６を介して、ノズル５０７に供給する（送る）構造である。そして、この第三配管１５は、切換えバルブ６からの排液水の回収ルートとなる。従って、この第三配管１５は、前記細霧冷房用ファン５の配管５０６と、ノズル５０７、並びに第一配管１０と分岐管１０ａに残留する排液水を、切換えバルブ６を介して、動力噴霧機３に回収する（戻す）構造である。
【００３９】
処で、切換えバルブ６と、タンク２とを給排液水用の第四・第五配管１６、１７で接続する。そして、この第四配管１６は、切換えバルブ６の差込み口６００とタンク２に接続され、薬液水の供給ルートとなる。従って、タンク２から供給された薬液水を切換えバルブ６に導き、その後、切換えバルブ６の他の差込み口６００を経由し、前記第三配管１５を経由して、動力噴霧機３に供給する。即ち、図２に示した、通常細霧運転の供給ルートである。そして、この第五配管１７は、タンク２と切換えバルブ６のさらに別の差込み口６００に接続される。そして、この第五配管１７には、常開弁１９を設け、切換えバルブ６内の余剰の給排液水を、タンク２にリターンする。従って、本発明の給液、給水の供給システムと、その排液、排水等の回収システムの安全性を担持する。尚、この切換えバルブ６の側面６ｃには、多数本の第一配管１０（多数基の細霧冷房用ファン５）を接続する複数の差込み口６００を有することと、この切換えバルブ６の本体６ａの他端の接続口６０５には、多数本の第一配管１０（多数基の細霧冷房用ファン５）を接続する一本〜多数本の切換えバルブ６を接続することも可能である。図中６０６は接続口６０５のキャップを示す。
【００４０】
また、動力噴霧機３と、タンク２とをオーバフロー用の第六配管２０で接続する。従って、動力噴霧機３の余剰の排液水、又は給液水を、タンク２にリターンする構造である。
【００４１】
続いて、図２に示した通常噴霧運転時の模式図と、図３に示した排液、又は排水の回収運転時の模式図とを基に、好ましい一例を説明する。
【００４２】
先ず、図２において、切換えバルブ６の複数の差込み口６００の開閉弁６０１を、リンク６０４の軸芯方向Ｂの最先端位置への操作と、ハンドル６０３の移動で開放、又は閉塞する（その他の差込み口６００と、別の差込み口６００とのそれぞれの開閉弁６０１を、それぞれ開放する。また、本体６ａの側面６ｂに設けた中央の開閉弁６０１の閉塞する）。この状態では、タンク２の薬液（水も同じであり、以下、薬液で説明する）を第四配管１６から、切換えバルブ６の本体６ａの通路を経由し、その他の差込み口６００から、動力噴霧機３の吸込口を介して、この動力噴霧機３に導き、この動力噴霧機３で加圧し、その吐出口から、第二配管１３を経由した後に、別の差込み口６００より、切換えバルブ６の本体６ａの通路から、第一配管１０と、継ぎ手１１を介して分岐管１０ａに導き、最終的には、細霧冷房用ファン５の配管５０６を介して、ノズル５０７に供給する構造の第一のルートである。
【００４３】
また、図３において、切換えバルブ６の他の差込み口６００の開閉弁６０１を、リンク６０４の軸芯方向Ｂの最後端位置への操作と、ハンドル６０３の移動で閉塞、又は開放する（その他の差込み口６００と、別の差込み口６００とのそれぞれの開閉弁６０１を、それぞれ閉塞する。また、本体６ａの側面６ｂに設けた中央の開閉弁６０１の開放する）。この状態では、細霧冷房用ファン５の配管５０６と、ノズル５０７、又は第一配管１０と、継ぎ手１１、及び分岐管１０ａ等の何れかに残っている液（残液、残水）を、切換えバルブの本体６ａの通路から、開放された他の差込み口６００から、第三配管１５を経由し、動力噴霧機３の吸込口を介して、この動力噴霧機３に導き、さらに、この動力噴霧機３の余水吐出口（余液吐出口）から、第六配管２０を経由した後に、タンク２に戻して回収する構造の第二のルートである。この第二のルートを介して、略１００％の残液を回収できることと、有効利用できる。また、残液による前記弊害解消と、再霧化の際の残液が噴霧される弊害、例えば、作物への濃縮液害、汚染水弊害の解消とか、作物に付加される余剰薬液量、水弊害の解消に役立つこととかが考えられる。
【００４４】
そして、図１３は、ノズル５０（噴霧装置の一例である）を、分岐管１０ａに設けた一例であり、例えば、主として、薬液の噴霧を意図する。従って、前述した、噴霧装置の一例である。その他は、前述の例に準ずる。
【符号の説明】
【００４５】
１          ハウス
２          タンク
３          動力噴霧機
５          細霧冷房用ファン
５０        ノズル
５ａ        本体部
５ｂ        噴霧部
５００      ケーシング
５００ａ    鍔部
５００ｂ    巻絞り部
５０１      ブラケット
５０２      モータ
５０２ａ    出力軸
５０３      羽根車
５０４      静翼
５０４ａ    翼体
５０５      ガード
５０６      配管
５０７      ノズル
５０８      供給管
６          切換えバルブ
６ａ        本体
６ｂ        側面
６ｃ        側面
６００      差込み口
６０１      開閉弁
６０２      弁軸
６０３      ハンドル
６０４      リンク
６０５      接続口
６０６      キャップ
６０８      切替えレバー
７          ケース
７ａ        長孔
１０        第一配管
１０ａ      分岐管
１０００    開放側
１１        継ぎ手
１２        逆止弁
１３        第二配管
１５        第三配管
１６        第四配管
１７        第五配管
１８        ストレーナ
１９        常開弁
２０        第六配管
Ａ          水平方向
Ｂ          軸芯方向
Ｂ１        軸芯方向
【図１】
0005495997.tif 000002
【図２】
0005495997.tif 000003
【図３】
0005495997.tif 000004
【図４】
0005495997.tif 000005
【図５】
0005495997.tif 000006
【図６】
0005495997.tif 000007
【図７】
0005495997.tif 000008
【図８】
0005495997.tif 000009
【図９】
0005495997.tif 000010
【図１０】
0005495997.tif 000011
【図１１】
0005495997.tif 000012
【図１２】
0005495997.tif 000013
【図１３】
0005495997.tif 000014